(57)【要約】【課題】簡単な操作で蓄尿バッグ保持装置の着脱が可能であり、しかも安定して保持できる蓄尿バッグ保持装置を提供すること。【解決手段】本考案の蓄尿バッグ保持装置は車椅子の左右のフレームに渡したワイヤー若しくはピアノ線及びピアノ線に取り付けたフック３個からなる支持部１と蓄尿バッグを直接保持する保持部４、更に蓄尿バッグ保持装置の揺れを軽減するための補助部３からなる。【選択図】図２
0003123067.tif 000002
【実用新案登録請求の範囲】
【請求項１】
尿を貯留するバッグ本体を有する蓄尿バックを保持する蓄尿バッグ保持装置であって前記蓄尿バッグを固定する支持部１と蓄尿バッグを保持する保持部４とを有することを特徴とする蓄尿バッグ保持装置
【請求項２】
前記請求項１の支持部１は車椅子のシート側の左右のフレームに渡したワイヤー若しくはピアノ線及びワイヤー若しくはピアノ線に取り付けた３個のフックからなり、前記請求項１の保持部４を前記請求項１の支持部１へ装着する装着部２を有する蓄尿バッグ保持装置
【請求項３】
前記請求項２の装着部２は蓄尿バッグ保持装置の前記保持部４の両端に、各々３箇所設けた装着用孔穴から成り、片側の装着部２の孔穴を前記請求項１．２の支持部１の３箇所のフックに装着し、３箇所のフックの中央のフックに尿を貯留するバッグ本体を有する蓄尿バッグを装着する蓄尿バッグ保持装置
【請求項４】
前記請求項３において前記支持部１に前記保持部４の片側の装着部２を装着後、前記支持部１に前記保持部４の片側の装着部２を装着した３箇所のフックの内、中央のフックに尿を貯留するバッグ本体を有する蓄尿バッグを装着し、前記保持部４のもう片側の装着部２を尿を貯留する蓄尿バッグを装着した手前に装着させる蓄尿バッグ保持装置
【請求項５】
前記請求項４の蓄尿バッグ保持装置の保持部４の中央の両端に補助部３を設け、車椅子の下部のフレームにワイヤー若しくはピアノ線で繋索する蓄尿バッグ保持装置。上記補助部３は前記装着部２と同様の孔穴からなる蓄尿バッグ保持装置
【請求項６】
前記請求項２及び請求項５のワイヤー若しくはピアノ線をフックに変え、蓄尿バッグ保持装置の装着部２及び補助部３を直接車椅子に接続させる蓄尿バッグ保持装置
【考案の詳細な説明】
【技術分野】
【０００１】本考案は蓄尿バッグを車椅子等の座面シート下部に保持する蓄尿バッグ保持装置に関する【０００２】蓄尿バッグ使用者は尿道に挿入されたチューブを通して尿を採取し蓄尿するバッグを利用している。この場合使用者がベッドに寝ている時は、蓄尿バッグはベッド脇のフレームに紐で吊り下げられており、蓄尿バッグ使用者が車椅子で移動する際には蓄尿バッグ使用者が歩行時に利用する蓄尿バッグ使用者の肩から下げられた袋に入れられたまま使用者の脇に置かれているか、車椅子の後部押手に吊り下げられている。また、蓄尿バッグを座面シートに固定する医療用バッグの固定具も開発されている。
【考案の開示】
【考案が解決しようとする課題】
【０００３】しかしながら、この医療用バッグの固定具は座面に直接固定させる形状であるため、医療用バッグに蓄尿された場合内容物の重量そのものが座面シートにかかることになり車椅子の左右のバランスにズレが生じる恐れがある。これは自走式車椅子使用者にとっては非常に問題である。また仮に固定具を座面の中央に位置した場合は座面シートが下方向に撓むことになり、使用者の座位が不安定になる。【０００４】また、医療用バッグの種類によってはバッグ本体の下部に排尿ノズルが取り付けられている物もあり、車椅子との固定部分が脇に寄れば寄るほどこの排尿ノズルに車椅子の一部が接触する危険も増し、車椅子と排尿ノズルとが接触したことにより、蓄尿された尿が漏れてしまう等の問題を起こす恐れもある。【０００５】この改善策として本考案は車椅子利用者が使用する様々な形状の蓄尿バッグを簡単な操作で保持装置に着脱が可能であり、しかも安定して車椅子の座面シート下部に保持できる蓄尿バッグ保持装置を提供することを課題とする。
【特許文献１】特開２００４−２０１９９２号公報
【課題を解決するための手段】本考案は下記の手段をとり目的を達成する。【０００６】本考案の蓄尿バッグ保持装置は尿を貯留するバッグ本体を有する蓄尿バッグを保持する保持部４と尿を貯留するバッグ本体を有する蓄尿バッグ及び本考案の蓄尿バッグ保持装置の保持部４を固定する支持部１、前記の保持部４を前記の支持部１へ装着する装着部２、尿を貯留するバッグ本体を有する蓄尿バッグを本考案の蓄尿バッグ保持装置に装着し使用した際に想定できる揺れを軽減するための補助部３を設けた。【０００７】前記保持部４は１枚のシートからなり、そのシートの短辺のそれぞれに３箇所の孔穴とシートの長辺のそれぞれの中央に１箇所ずつの孔穴を持つ。【０００８】前記支持部１は車椅子の左右のフレームに渡したワイヤー若しくはピアノ線及び車椅子の左右のフレームに渡したワイヤー若しくはピアノ線に取り付けた３個のフックからなり、この３個のフックに上記保持部４のシートの短辺の片側の３箇所の孔穴を掛ける。【０００９】この前記保持部４の短辺のそれぞれ３箇所ずつの孔穴を装着部２という。この装着部２を本考案の蓄尿バッグ保持装置の支持部１に装着し蓄尿バッグ本体を有する蓄尿バッグを本考案の蓄尿バッグ保持装置に保持した場合、車椅子で移動する際起こり得る振動による蓄尿バッグを保持した蓄尿バッグ保持装置の揺れを軽減するために蓄尿バッグ保持装置の保持部４の長辺の中央に１箇所ずつの孔穴を設け車椅子の下部のフレームに接続させる補助部３とする。
【考案の効果】
【００１０】以上のように、本考案の蓄尿バッグ保持装置によれば簡単な操作で蓄尿バッグ保持装置の着脱が可能であり、どんな形態の蓄尿バッグであっても蓄尿バッグを車椅子の座面シート下部に保持することが可能であり、蓄尿バッグの排尿部からの漏れや蓄尿バッグの破損も防ぐことができる。
【考案を実施するための最良の形態】
【００１１】本考案を実施するための最良の形態は蓄尿バッグ使用者が車椅子を利用する際に車椅子座面シート下部に蓄尿バッグ本体を有する蓄尿バッグを安定した状態で保持できる形態であり、かつ蓄尿バッグの車椅子座面シート下部への装着を車椅子利用者及び介助者が簡単に行える形態であることである。以下に詳細に説明する。
【実施例】
【００１２】尿を貯留する蓄尿バッグ本体を有する蓄尿バッグ使用者がベッドから車椅子に、あるいは歩行から車椅子に移乗する場合、蓄尿バッグは蓄尿バッグ使用者の下部つまり採尿部よりも低い位置に保持されることが望ましい。これにより蓄尿バッグを保持する位置を車椅子の座面シート下部に置くことにする。そのために本考案の蓄尿バッグ保持装置は蓄尿バッグを車椅子の座面シート下部に固定する支持部１と蓄尿バッグを保持する保持部４とを有する。さらにその保持部４を前記の支持部１へ装着するための装着部２を有する。【００１３】前記の支持部１は車椅子の座面シートの下部にある左右のフレームに渡したワイヤー若しくはピアノ線及びワイヤー若しくはピアノ線に取り付けた３個のフックからなり、この３個のフックに蓄尿バッグ保持装置の保持部４の両端に設けた各々３箇所の装着用孔穴を持つ装着部２の片側の装着部２の孔穴を装着する。この装着した装着部２の中央のフックに尿を貯留する蓄尿バッグ本体を装着し前記保持部４のもう片側の装着部２を尿を貯留する蓄尿バッグを装着した手前に重ねて装着させる。【００１４】前記００１３において尿を貯留する蓄尿バッグ本体を有する蓄尿バッグを装着した蓄尿バッグ保持装置の保持部４の中央つまり蓄尿バッグ保持装置を装着時の最下部の両端に装着部２と同様の孔穴をそれぞれ１箇所持つ補助部３を設け、その補助部３と車椅子の下部の左右のフレームにワイヤー若しくはピアノ線で繋索する。これは車椅子走行時における振動により蓄尿バッグ保持装置に起こる揺れを軽減するものであり、蓄尿バッグ保持装置に保持する尿を貯留する蓄尿バッグにかかる衝撃を防ぐものである。【００１５】本考案蓄尿バッグ保持装置を装着する場合、ワイヤー若しくはピアノ線を用いず、ワイヤー若しくはピアノ線をフックに変え蓄尿バッグ保持装置を直接車椅子の座面シート下部のフレームに装着する。この場合、前記支持部において使用していた中央のフックは蓄尿バッグ保持装置の装着部２の中央の孔穴に直接装着し、尿を貯留する蓄尿バッグ本体を保持する。【００１６】本考案蓄尿バッグ保持装置の素材であるが、尿を貯留する蓄尿バッグ本体を保持することを目的とするので、耐久性、耐水性に優れ車椅子を収納する際には同様にたためる材質であることが望ましい。本考案を製作した折には帆布・テント用生地を利用したがこれは有効な素材であった。
【産業上の利用可能性】
【００１７】現在、様々な病気事故などにより尿を貯留する蓄尿バッグを使用する人の数は増加している。更に車椅子を利用する人も同様であり、蓄尿バッグ使用者の車椅子利用頻度は非常に高い。本考案の蓄尿バッグ保持装置は車椅子を利用する人も介助する人も無理なく車椅子の座面シート下部に蓄尿バッグを着脱することができるので産業上の利用可能性は大である。また素材も簡単に手に入り形状もシンプルなので製作も容易である。
【図面の簡単な説明】
【００１８】
【図１】蓄尿バッグ保持装置を展開して示した平面図である
【図２】蓄尿バッグ保持装置を車椅子に装着し左斜め前方より示した図である。
【図３】蓄尿バッグ保持装置を車椅子に装着し正面より示した図である。
【図４】蓄尿バッグ保持装置装着時の横方向から示した断面図である。
【符号の説明】
【００１９】１  蓄尿バッグ保持装置の支持部
２  蓄尿バッグ保持装置の装着部
３  蓄尿バッグ保持装置の補助部
４  蓄尿バッグ保持装置の保持部
【図１】
0003123067.tif 000003
【図２】
0003123067.tif 000004
【図３】
0003123067.tif 000005
【図４】
0003123067.tif 000006